(57)【要約】【課題】本発明は、フロアコンソールの厚みに関わりなく、車載機器取付具本体をフロアコンソールに対して取り付けることができ、かつ、前部座席を後方へ移動させても干渉することがない車載機器取付具を提供することを目的とする。【解決手段】取付部材５，６と固定部材４とを、フロアコンソール３の下方で締結することにより車載機器取付具本体２をフロアコンソール３に対して固定する固定用ねじ１９と、フロアコンソール３の厚みにより生じる取付部材５，６と固定部材４との間隙を調整する間隙調整ねじ２１とを有する。【選択図】    図１
2004322826.tif 000002
【特許請求の範囲】
【請求項１】
フロアコンソールの側部に着脱自在に装着させる取付部材を備え、車載機器を支持する車載機器取付具本体と、前記取付部材とにより前記フロアコンソールを挟む固定部材とを有するとともに、前記取付部材と前記固定部材とを前記フロアコンソールの下方で締結することにより前記車載機器取付具本体を前記フロアコンソールに対して固定する固定用ねじと、前記フロアコンソールの厚みにより生じる前記取付部材と前記固定部材との間隙を調整する間隙調整ねじと、を有することを特徴とする車載機器取付具。
【請求項２】
前記固定部材及び前記取付部材の両側端部には、前記固定部材及び前記取付部材のフロアコンソール当接面と逆側の面に対して略９０度曲げられた曲げ部がそれぞれ形成されたことを特徴とする請求項１に記載の車載機器取付具。
【請求項３】
前記固定部材のフロアコンソール当接面に、フロアコンソールの低部に係止する係止部を設けたことを特徴とする請求項１又は請求項２に記載の車載機器取付具。
【発明の詳細な説明】
【０００１】
【発明の属する技術分野】
本発明は、車載機器取付具に関する。
【０００２】
【従来の技術】
近年、例えばカーナビゲーションシステムを利用するため、地図情報等の情報を表示するモニターや使用者の指示を入力する操作装置といった車載機器を、各車載機器の用途や形状等に応じて車両内の適当な位置に、種々の車載機器取付具を用いて取り付けることが行われている。
【０００３】
例えば、従来、車両内の両側部にアシストグリップを固着するねじを用いてアシストグリップと共締めする取付部材と、車両内の前部に設けられたルームランプに嵌めこむ嵌込部材とを有し、取付部材に両取付部材を連結する横架材を設けるとともに、この横架材材と嵌込部材とを連結する縦架材を設け、この横架材及び縦架材の任意の位置に車載機器が取付可能な車載機器取付具が知られている（特許文献１参照）。
【０００４】
【特許文献１】
特開２００２−３６２２４２号公報
【０００５】
【発明が解決しようとする課題】
しかし、従来の車載機器取付具（特許文献１）では、車載機器が車両の天井面に取り付けられるため、運転者が利用するのに不便であるという問題があった。
【０００６】
ここで、例えば、図６に示すように、フロアコンソール３０の両側部にそれぞれ着脱自在に装着させる取付部材３１を有し、各取付部材３１に車床に対して立設される支柱部材３２をそれぞれ設け、この支柱部材３２にフロアコンソールボックス３３を跨いで両支柱部材３２を連結し、車載機器を支持可能な支持部材３４を設けた車載機器取付具が考えられる。
【０００７】
この車載機器取付具は、フロアコンソール３０と車床との隙間から差し込んで、フロアコンソール３０と取付部材３１とを挟持して固定する断面形状がコ字状の固定部材３３を有しており、この固定部材３３の取付部材側に配置される面には、固定用ねじ３４が螺合されるねじ穴３５（図７参照）が形成されている。
【０００８】
この車載機器取付具によれば、フロアコンソール３０と車床との隙間から固定部材３３を差し込んで取付部材３１とフロアコンソール３０とを挟み、固定部材３３のねじ穴３５から固定用ねじ３４を締め付けて、取付部材３１をフロアコンソール３０に固定し、支持部材３４に車載機器を支持させることにより、車載機器が車両内に取り付けられる。
【０００９】
ところで、フロアコンソール３０の厚みは車両によって異なるため、固定部材３３について汎用性を持たせる必要があった。すなわち、図７（Ａ）に示すように、厚みが大きいフロアコンソール３０と取付部材３１とを挟持して取付部材３１をフロアコンソール３０に固定することができ、図７（Ｂ）に示すように、厚みが小さいフロアコンソール３０と取付部材３１とを挟持して取付部材３１をフロアコンソール３０に固定することもできるようにするためには、固定部材３３のフロアコンソール当接面とこれに対向する面との間隔をある程度広く形成するとともに、固定用ねじ３４としてある程度足の長いねじを用いる必要があった。
【００１０】
ところが、固定部材のフロアコンソール当接面とこれに対向する面との間隔が広い固定部材で、フロアコンソールと取付部材とを挟持して、足の長い固定用ねじを用いて締結させると、固定用ねじが、前部座席側へ突出してしまい、前部座席を後方へ移動させる際に前部座席に干渉する場合があるという問題があった。
【００１１】
そこで、本発明は、フロアコンソールの厚みに関わりなく、車載機器取付具本体をフロアコンソールに対して取り付けることができ、かつ、前部座席を後方へ移動させても干渉することがない車載機器取付具を提供することを目的とする。
【００１２】
【課題を解決するための手段】
上記課題を解決するために本発明による車載機器取付具は、フロアコンソールの側部に着脱自在に装着させる取付部材を備え、車載機器を支持する車載機器取付具本体と、前記取付部材とにより前記フロアコンソールを挟む固定部材とを有するとともに、前記取付部材と前記固定部材とを前記フロアコンソールの下方で締結することにより前記車載機器取付具本体を前記フロアコンソールに対して固定する固定用ねじと、前記フロアコンソールの厚みにより生じる前記取付部材と前記固定部材との間隙を調整する間隙調整ねじと、を有することを特徴とする。
【００１３】
請求項２に記載の発明は、請求項１に記載の車載機器取付具において、前記固定部材及び前記取付部材の両側端部には、前記固定部材及び前記取付部材のフロアコンソール当接面と逆側の面に対して略９０度曲げられた曲げ部がそれぞれ形成されたことを特徴とする。
【００１４】
請求項３に記載の発明は、請求項１又は請求項２に記載の車載機器取付具において、前記固定部材のフロアコンソール当接面に、フロアコンソールの低部に係止する係止部を設けたことを特徴とする。
【００１５】
【発明の実施の形態】
以下、本発明の実施形態を図１から図５を参照して説明する。
【００１６】
車載機器取付具１は、図１に示すように、車載機器を支持する車載機器取付具本体２と、この車載機器取付具本体２をフロアコンソール３に対して固定する固定部材４（図２及び図４参照）とからなる。
【００１７】
車載機器取付具本体２は、図１に示すように、フロアコンソール３の両側部前側にそれぞれ装着させる前側取付部材５及びフロアコンソール３の両側部後側にそれぞれ装着させる後側取付部材６を有している。
【００１８】
各前側取付部材５には、フロアコンソール３の高さとほぼ等しい高さとなる棒状の前側支柱部材７がそれぞれ１本ずつ設けられており、各後側取付部材６には、フロアコンソール３の高さとほぼ等しい高さとなる棒状の後側支柱部材８がそれぞれ２本ずつ設けられている。
【００１９】
前側支柱部材７の端部及び後側支柱部材８の端部には、前側支柱部材７から後側支柱部材８にわたって横架され、前側支柱部材７と後側支柱部材８とを連結する連結部材９が設けられている。
【００２０】
前側支柱部材７の上部には、両前側支柱部材７を連結し、第１車載機器を支持可能な第１支持部材１０が設けられている。
【００２１】
後側支柱部材８の上部には、フロアコンソール３の後方に配置されたフロアコンソールボックス１１を跨いで、両後側支柱部材８を連結し、第２車載機器を支持可能な第２支持部材１２が設けられている。
【００２２】
第２支持部材１２は、後端部が弧状に曲成されたガイド部材１３を有しており、このガイド部材１３には、フロアコンソールボックス１１の上面を被覆する平板状の台部１４が摺動自在に保持されている。
【００２３】
前側支柱部材７の一方には、連結部材９から延在し、２本の棒状部材がヒンジ結合部により連結されたアーム部材１５が設けられている。アーム部材１５は、ヒンジ結合部により先端部がフロアコンソール３の上方に向けられるようになっている。アーム部材１５の先端部には、フロアコンソール３の内側に向けて延在し、第３車載機器を取り付ける取付部１６が設けられている。
【００２４】
支柱部材７，８、架橋部材１０，１２、連結部材９及びアーム部材１５は伸縮可能に構成されている。例えば、径の異なる２本の棒状部材を有するとともに、大きい径の棒状部材の端部には、イモねじを螺合するねじ穴等の両棒状部材を結合する結合部材（図示しない）が設けられている。
【００２５】
固定部材４は、図２に示すように、長方形状の基部１７を有しており、この基部１７の略中央には、固定部材４をフロアコンソール３の下方よりフロアコンソール３の内側に差し込んだ際に、フロアコンソール３の底部に係止する係止部１８が設けられている。この係止部１８は、車床に対して平行な一辺を基端として、基部１７の一部を長方形状に９０度立ち上げて形成されている。
【００２６】
基部１７の係止部１８の両側方には、固定部材４と取付部材５，６とをフロアコンソール３を挟んだ状態で締結する固定用ねじ１９（図４参照）を螺合する第１タップ穴２０が、固定用ねじ１９がフロアコンソール３の低部近傍に位置するように、それぞれ形成されている。また、各第１タップ穴２０の下方には、フロアコンソールの厚みにより生じる取付部材５，６と固定部材４との間隙を調整する間隙調整ねじとしての座付きねじ２１を螺合する第２タップ穴２２が、それぞれ形成されている。
【００２７】
基部１７の両側部には、係止部１８形成面とは逆側に略９０度曲げられた曲げ部２３が、上端側の幅ほど狭く下端側の幅ほど広く形成されている。
【００２８】
一方、取付部材５，６の略中央には、図３に示すように、係止部１８を嵌入させる長方形状の嵌入スリット２４が設けられている。
【００２９】
嵌入スリット２４の両側方には、第１タップ穴２０と対応して第３穴２５がそれぞれ形成されている。また、各第３穴２５の下方には、第２タップ穴２２と対応して、座付きねじ２１の頭の径より大きく座の径より小さい径の第４穴２６がそれぞれ形成されている。
【００３０】
取付部材５，６の両側部には、コンソール２に当接される面とは逆側に略９０度曲げられた曲げ部２７が形成されている。
【００３１】
次に、本発明に係る車載機器取付具１を用いて車載機器を車両に取り付ける手順に従って、本実施形態に係る車載機器取付具１の作用について説明する。なお、本実施形態では、例えば、車載機器として、カーナビゲーションシステムを利用するため、地図情報等の情報を表示するモニター、使用者の指示を入力する操作装置、システムを構成する各装置を制御する制御装置を車両内に取り付ける場合について説明する。
【００３２】
まず、図４に示すように、予め座付きねじ２１を第２タップ穴２２に螺合させた固定部材４を、フロアコンソール３と車床との隙間から差し込む。固定部材４が、差し込まれていくと、係止部１８がフロアコンソール３の低部に係止され、フロアコンソール３の低端から第１タップ穴２０が露出した状態となる。
【００３３】
そして、車両内のフロアコンソール３の上方から、車載機器取付具本体２を、両前側取付部材５及び両後側取付部材６でフロアコンソール３の前側及び後側をそれぞれ挟むように配置させ、嵌入スリット２４に係止部１８を嵌入させる。すると、第３穴２５が第１タップ穴２０に対応し、第４穴２６が第２タップ穴２２に対応した状態となる。
【００３４】
なお、車載機器取付具本体２を配置させる際には、第２支持部材１２がフロアコンソールボックス１１の上方に位置し、第１支持部材１０がサイドブレーキやシフトレバーの操作の妨げとならない位置に配置させる。
【００３５】
車載機器取付具本体２が所定の位置に配置されたら、第３穴２５及び第１タップ穴２０に対して固定用ねじ１９を締め付ける。固定用ねじ１９の頭が取付部材５，６に当接された後も、固定用ねじ１９が締め付けられていくと、図５（Ａ）に示すように、第１タップ穴２０と第３穴２５との間隔がフロアコンソール３の厚みより狭くなり、固定部材４の下端が取付部材５，６側へ倒れてくる。
【００３６】
その後、第４穴２６からドライバーを差し込んで予め第２タップ穴２２に締め付けられた座付きねじ２１を緩める。座付きねじ２１の頭が第４穴２６に嵌入し、座が取付部材５，６のフロアコンソール当接面に係止された後も、座付きねじ２１が緩められていくと、固定部材４の下端が押し戻される。このため、取付部材５，６と固定部材４との間隔がフロアコンソール３の厚みと同じ距離になるよう調整すれば、取付部材５，６はフロアコンソール３の外側面に密着し、固定部材４はフロアコンソール３の内側面に密着した状態で固定される。
【００３７】
車載機器取付具本体２がフロアコンソール３に固定されたら、各支持部材１０，１２及びアーム部材１５に、車載機器をそれぞれ取り付ける。具体的には、例えば、第１支持部材１０に操作装置（図示しない）を取り付け、第２支持部材１２に制御装置（図示しない）を取り付けるとともに、アーム部材１５に設けられた取付部１６にモニター（図示しない）を取り付ける。
【００３８】
以上より、本実施形態に係る車載機器取付具１によれば、取付部材５，６と固定部材４とでフロアコンソール３を挟んだ状態で、取付部材５，６と固定部材４とを固定用ねじ１９で締結するとともに、座付きねじ２１で、取付部材５，６と固定部材４との隙間を調整するため、フロアコンソール３の厚みに関わりなく、車載機器取付具本体２をフロアコンソール３に対して取り付けることができる。
【００３９】
さらに、取付部材５，６はフロアコンソール３の外側面に密着し、固定部材４はフロアコンソール３の内側面に密着した状態で固定され、ねじは頭が取付部材５，６に当接するまで締め付けることができるため、車載機器取付具１の構成要素を取付部材５，６の厚み以上に前部座席側へ突出させることなく、車載機器取付具本体２をフロアコンソール３に固定することでき、その結果、前部座席を後方へ移動させても車載機器取付具１に干渉することがない。
【００４０】
また、固定部材４には係止部１８が設けられているため、固定部材４をフロアコンソール３と車床との隙間から差し込む際に、必要以上にフロアコンソール３の内側へ入り込んでしまうのを防止することができる。
【００４１】
また、取付部材５，６及び固定部材４には曲げ部２３，２７が設けられているため、固定用ねじ１９を締め付けることによってフロアコンソールに当接する部分に加えられる力により、取付部材５，６及び固定部材４が変形するのを防止することができる。
【００４２】
なお、車載機器取付具本体２は、本実施形態に示した車載機器取付具本体２に限られるものではなく、例えば、フロアコンソール３の一側部に取り付けられる取付部材を有し、この取付部材に車床に対して立設される支柱部材を設けるとともに、この支柱部材にフロアコンソール上方へ向けて延在し車載機器を支持可能な支持部材を設けた車載機器取付具本体を用いるようにしてもよい。
【００４３】
【発明の効果】
本発明によれば、取付部材と固定部材とでフロアコンソールを挟んだ状態で、取付部材と固定部材とを固定用ねじで締結するとともに、間隙調整ねじで、取付部材と固定部材との隙間を調整するため、フロアコンソールの厚みに関わりなく、車載機器取付具本体をフロアコンソールに対して取り付けることができる。
【００４４】
また、取付部材はフロアコンソールの外側面に密着し、固定部材はフロアコンソールの内側面に密着した状態で固定され、ねじは頭が取付部材に当接するまで締め付けることができるため、車載機器取付具の構成要素を取付部材の厚み以上に前部座席側へ突出させることなく、車載機器取付具本体をフロアコンソールに固定することでき、その結果、前部座席を後方へ移動させても車載機器取付具に干渉することがない。
【図面の簡単な説明】
【図１】本発明による車載機器取付具の一実施形態の構成を示す斜視図である。
【図２】本発明による車載機器取付具を構成する固定部材の構成を示す図である。
【図３】本発明による車載機器取付具を構成する取付部材の構成を示す図である。
【図４】本発明による車載機器取付具の取付構造を示す図である。
【図５】（Ａ）は、本発明による車載機器取付具の作用を説明する断面図であり、（Ｂ）は、本発明による車載機器取付具をフロアコンソールに取り付けた様子を示す断面図である。
【図６】従来の車載機器取付具の一構成を示す斜視図である。
【図７】従来の車載機器取付具の構成を説明する断面図である。
【符号の説明】
１          車載機器取付具
２          車載機器取付具本体
３          フロアコンソール
４          固定部材
５，６      取付部材
１８        係止部
１９        固定用ねじ
２１        座付きねじ（間隙調整ねじ）
２３，２７  曲げ部
【図１】
2004322826.tif 000003
【図２】
2004322826.tif 000004
【図３】
2004322826.tif 000005
【図４】
2004322826.tif 000006
【図５】
2004322826.tif 000007
【図６】
2004322826.tif 000008
【図７】
2004322826.tif 000009